(57)【特許請求の範囲】
【請求項１】
相対的に高画素の撮像信号を出力する第１の撮像素子と、
相対的に低画素の撮像信号を出力し、前記第１の撮像素子とほぼ同一の撮影領域を撮影するための第２の撮像素子と、
前記第１の撮像素子から得られた撮像信号を処理して第１の画像データを生成する第１の画像処理手段と、
前記第２の撮像素子から得られた撮像信号を処理して第２の画像データを生成する第２の画像処理手段と、
前記第１の画像データを使用して、前記撮影画像の一部を拡大処理するための電子ズーム処理手段と、
前記第２の画像データまたは前記電子ズーム処理手段により得られるズーム画像データを選択的に使用して、撮影画像を表示する画像表示手段と、
電子ズームモードの設定に応じて、前記画像表示手段に表示させる撮影画像として、前記第２の画像データから前記電子ズーム処理手段により得られるズーム画像データに切替えて前記画像表示手段に供給する画像切替手段とを具備したことを特徴とする電子カメラ装置。
【請求項２】
前記第１の画像処理手段は第１の画像データとして静止画像データを生成し、前記第２の画像処理手段は第２の画像データとして動画像データを生成し、
前記画像表示手段は、前記電子ズームモードの設定時以外では、前記動画像データを使用して撮影画像を表示することを特徴とする請求項１記載の電子カメラ装置。
【請求項３】
前記第１の画像処理手段により生成された第１の画像データとして静止画像データを記録し、また前記第２の画像処理手段により生成された第２の画像データとして動画像データを記録するための記録媒体を有することを特徴とする請求項１記載の電子カメラ装置。
【請求項４】
前記電子ズームモードの設定時で、前記画像表示手段により前記静止画像データを使用して拡大処理した撮影画像を表示している期間中に、前記動画像データを前記記録媒体に記録している場合には、当該画像表示手段により拡大表示された撮影画像を動画像として前記記録媒体に記録することを特徴とする請求項３記載の電子カメラ装置。
【請求項５】
前記電子ズームモードの設定に応じて前記第１の撮像素子の駆動を開始し、前記電子ズーム処理手段の処理終了後に当該第１の撮像素子の駆動を停止することを特徴とする請求項１記載の電子カメラ装置。
【請求項６】
前記第１の画像処理手段は前記電子ズーム処理手段の電子ズーム機能を含み、
前記電子ズームモードの設定を入力する入力手段を有し、
前記第１の画像処理手段は、前記入力手段からの前記電子ズームモードの設定入力に応じて、前記第１の画像データである高画素の画像データを使用する前記電子ズーム機能を実行することを特徴とする請求項１記載の電子カメラ装置。
【発明の詳細な説明】
【０００１】
【発明の属する技術分野】
本発明は、特に電子ズーム機能を有する電子カメラ装置に関する。
【０００２】
【従来の技術】
近年、被写体を電子的撮像機能により画像データに変換して、当該画像データを記録媒体に記録する電子カメラが普及している。電子カメラは、ディジタルカメラとも呼ばれている電子スチールカメラ以外に、動画撮影を主機能とするディジタルビデオカメラも含む。
【０００３】
電子カメラは、一般的にはカメラ本体の背面側に、ＬＣＤ（液晶デバイス）などからなる表示パネル（以下液晶パネルと表記する）を備えている。液晶パネルには、撮影した撮影画像が表示される。撮影画像は、静止画像（いわゆる写真に相当する）または撮像素子（ＣＣＤなど）の出力を連続的に表示するスルー画像である。スルー画像を表示する液晶パネルは、いわゆるＥＶＦ（Ｅｌｅｃｔｒｏ−ｖｉｅｗ  ｆｉｎｄｅｒ）の表示画面として利用されている。最近では、このＥＶＦを、覗き込み型の光学式ビューファインダに代えて、覗き込み型ＥＶＦとして搭載した電子カメラも開発されている。
【０００４】
ところで、電子カメラは、撮影して得られた撮像信号を、Ａ／Ｄ変換処理によりディジタル画像データに変換した後に、各種の画像処理を実行する。このため、液晶パネルに表示するＥＶＦ表示情報（ディジタル撮影画像）に修正するなどの各種処理を容易に行なうことができる。従って、ＥＶＦ表示画像の一部を拡大表示したり、縮小表示させる機能である電子ズーム機能（ディジタルズーム機能）を実現することができる。
【０００５】
【発明が解決しようとする課題】
電子ズーム機能は、所謂光学ズーム機能とは異なり、撮影領域を光学的に変更するものではなく、撮影画像の一部分（部分領域）を取出して、拡大表示させる機能である。従って、拡大表示された撮影部分は、その部分のみを撮影領域とする場合と比較して、実質的に少ない画素により撮影し、表示されたものと同様である。このため、電子ズーム機能の拡大比率を大きくすると、解像度が低下し、表示画像の画質が劣化する。
【０００６】
一方、半導体技術等の向上及び高画質化の要求に伴って、電子カメラに使用される撮像素子の画素数は増大化している。具体的には、動画撮影用としては、数十万程度の画素数であるが、静止画撮影用としては数百万画素まで達している。しかしながら、例えば撮像素子としてＣＣＤ（Ｃｈａｒｇｅ  Ｃｏｕｐｌｅｄ  Ｄｅｖｉｃｅ）を使用した場合に、画素数の増加に伴って、ＣＣＤからの画像データの読出し時間が長時間になりつつある。また、画素数の増加に伴って、画像データ量も増加するため、ＣＣＤからの読出し処理後の画像処理にも時間がかかることになる。このため、画素数の増加に伴って、通常のビデオレート（３０フレーム／秒）で撮影画像をＥＶＦ表示処理することが困難になりつつある。
【０００７】
そこで、本発明の目的は、通常のＥＶＦ表示では高速の表示処理を実行し、電子ズーム処理を実行する場合には当該ズーム表示画面の画質劣化を抑制することが可能な電子ズーム機能付きの電子カメラ装置を提供することにある。
【０００８】
【課題を解決するための手段】
本発明は、電子ズーム機能を有する電子カメラ装置に関し、静止画像記録用で高画素数の第１の撮像素子と、相対的に低画素数で動画像記録用の第２の撮像素子とを有し、かつ各撮像素子から出力される撮像信号をそれぞれ処理するための第１の画像処理手段及び第２の画像処理手段を有する電子カメラ装置である。
【０００９】
さらに、本装置は、前記第１の画像データを使用して、前記撮影画像の一部を拡大処理するための電子ズーム処理手段と、前記第２の画像データまたは前記電子ズーム処理手段により得られるズーム画像データを選択的に使用して、撮影画像を表示する画像表示手段と、電子ズームモードの設定に応じて、前記画像表示手段に表示させる撮影画像として、前記第２の画像データから前記電子ズーム処理手段により得られるズーム画像データに切替えて前記画像表示手段に供給する画像切替手段とを有する。
【００１０】
このような構成により、通常の撮影時では、相対的に低画素の第２の画像データ（動画像データ）を使用して、撮影画像を液晶パネルに表示するＥＶＦ表示処理を実行するため、高速の表示処理を実現することができる。一方、撮影画像の一部を拡大表示するための電子ズーム機能を利用する場合には、相対的に高画素の第１の画像データ（静止画像データ）を使用して、ズーム画像データを生成する。当該ズーム画像データを使用して、ＥＶＦ表示処理を実行するため、高画質の撮影画像を液晶パネルに表示することができる。
【００１１】
【発明の実施の形態】
以下図面を参照して、本発明の実施の形態を説明する。
【００１２】
（電子カメラの構成）
図１は、同実施形態に関係する電子カメラの要部を示すブロック図である。同実施形態の電子カメラは、静止画撮影機能及び動画撮影機能と共に、電子ズーム機能を有する電子スチールカメラ（ディジタルカメラ）を想定する。当然ながら、動画撮影機能を主機能とし、静止画撮影機能も有するディジタルビデオカメラにも適用可能である。
【００１３】
同実施形態の電子カメラは、図１に示すように、大別して撮影系１、画像処理系２、システムコントローラ３、入力操作系４、記録系５、及び表示系６から構成されている。これ以外にも、画像データを外部へ出力するための出力系もあるが、同実施形態では説明を省略する。
【００１４】
同実施形態の撮影系１は、ＣＣＤからなる２つの撮像素子１４Ｓ，１４Ｍを有する。即ち、数百万画素程度で相対的に高画素の静止画用撮像素子（以下静止画用ＣＣＤと表記する）１４Ｓ、及び数十万画素程度で相対的に低画素の動画用撮像素子（以下動画用ＣＣＤと表記する）１４Ｍである。これらの各ＣＣＤ１４Ｓ，１４Ｍに対応して、撮影系１は、撮像回路１５Ｓ，１５Ｍ、及びＡ／Ｄコンバータ１６Ｓ，１６Ｍを有する。撮像回路１５Ｓ，１５Ｍは、露光、撮像信号の読出し処理、素子シャッタ制御、及び電力供給のオン／オフ制御などの処理を行なう。Ａ／Ｄコンバータ１６Ｓ，１６Ｍは、各ＣＣＤ１４Ｓ，１４Ｍから読出された撮像信号をディジタル画像データに変換する。
【００１５】
さらに、撮影系１は、レンズ１０、絞り部１１、分光部（ビームスプリッタ）１２、シャッタ１３、及びオートフォーカス（Ａ／Ｆ）機構１７を有する。分光部１２は、動画用ＣＣＤ１４Ｍ及びシャッタ１３を介して静止画用ＣＣＤ１４Ｓに、レンズ１０から入射された入射光を供給する。シャッタ１３は、後述するシステムコントローラ３からのシャッタ・レリーズ信号ＳＣ３に応じて開閉し、静止画用ＣＣＤ１４Ｓから撮像信号の読出し時には閉じられる。レンズ１０は、Ａ／Ｆ機構１７によりフォーカス（ズーム）駆動されるように構成されている。
【００１６】
静止画用ＣＣＤ１４Ｓは、通常では電源供給がオフされており、シャッタ・レリーズのオン操作または電子ズームモードの設定入力に応じて、撮像回路１５Ｓにより電源供給がオンされる。シャッタ・レリーズのオン操作は、後述する入力操作系４の操作キー４１により実行される。また、電子ズームモードの設定入力は、電子ズームボタン４０の操作により実行される。
【００１７】
画像処理系２は、具体的には画像処理用ＣＰＵ（マイクロプロセッサ）及びその制御プログラムを格納したメモリから構成されている。図１に示す静止画処理部２０、動画処理部２１、及び圧縮／伸長処理部２４，２５は、ＣＰＵによる機能要素である。バッファメモリ２２，２３はフレームメモリとも呼ばれており、例えば１画面分（１フレーム）の画像データを格納する。
【００１８】
静止画処理部２０は、Ａ／Ｄコンバータ１６Ｓから得られた高画素の画像データを処理して１画面分の静止画像データを生成し、バッファメモリ２２に格納する。画像記録動作では、圧縮／伸長処理部２４がバッファメモリ２２に格納された静止画像データを例えばＪＰＥＧ方式により画像圧縮して、記録系５のディスクドライブ５１に出力する。ディスクドライブ５１は、ディスク記録媒体５０を駆動して、圧縮された静止画像データを記録する。一方、画像再生動作では、圧縮／伸長処理部２４は、ディスクドライブ５１を介してディスク記録媒体５０から読出した圧縮データを元の静止画像データに伸長して、バッファメモリ２２に格納する。
【００１９】
動画処理部２１は、Ａ／Ｄコンバータ１６Ｍから得られた低画素の画像データを処理して１フレーム（動画フレーム）毎の動画像データを生成し、バッファメモリ２３に格納する。画像記録動作では、動画撮影ボタン（図示せず）の操作に応じて、圧縮／伸長処理部２５がバッファメモリ２３に格納された動画像データを例えばモーションＪＰＥＧ方式により画像圧縮して、記録系５のディスクドライブ５１に出力する。ディスクドライブ５１は、ディスク記録媒体５０を駆動して、圧縮された動画像データ（複数の動画フレームからなる）を記録する。一方、画像再生動作では、圧縮／伸長処理部２５は、ディスクドライブ５１を介してディスク記録媒体５０から読出した圧縮データを元の動画像データに伸長して、バッファメモリ２３に格納する。
【００２０】
ここで、記録系５は、例えば光磁気ディスクシステムを想定し、ディスクドライブ５１と、光磁気ディスクであるディスク記録媒体５０を有する。なお、記録系５は、フラッシュＥＥＰＲＯＭを使用したメモリカードや、磁気ディスクを使用するハードディスクドライブでもよい。
【００２１】
表示系６は、液晶パネル６０、表示制御部６１、ビデオＲＡＭ６２、電子ズーム処理部６３、及び画像切替部６４を有する。液晶パネル６０は、ＥＶＦ表示画面を有するファインダ（液晶モニタ）を構成する。表示制御部６１は、ビデオＲＡＭ６２に保持された画像データにより液晶パネル６０の表示駆動を行なう制御ドライバである。なお、液晶パネル６０は、カメラ本体の背面側に配置されるＥＶＦまたは覗き込み型ＥＶＦのいずれでもよい。
【００２２】
画面切替部６４は、表示モードまたは再生モードに応じて、表示系６に供給する画像データを切替える。静止画撮影時または静止画再生時には、画面切替部６４はバッファメモリ２２からの静止画像データをＶＲＡＭ６２に出力することにより、液晶パネル６０に撮影画像を表示させる。この表示モードは、撮影確認表示（ＲＥＣビュー表示）モードである。また、動画撮影時または動画再生時には、画面切替部６４はバッファメモリ２３からの動画像データをＶＲＡＭ６２に出力することにより、液晶パネル６０に撮影画像を表示させる。
【００２３】
更に、同実施形態では、通常のＥＶＦ表示モード時には、画面切替部６４は動画処理部２１からの動画像データ（動画用ＣＣＤ１４Ｍの撮像信号）をＶＲＡＭ６２に出力することにより、液晶パネル６０に撮影画像をＥＶＦ表示させる。また、電子ズームモード時には、画面切替部６４は電子ズーム処理部６３から出力されるズーム画像データ（後述する）をＶＲＡＭ６２に出力することにより、液晶パネル６０に撮影画像のズーム表示（拡大表示）を実行させる。
【００２４】
なお、動画処理部２１からの動画像データ（動画用ＣＣＤ１４Ｍの撮像信号）は、システムコントローラ３に入力されて、撮影条件（自動合焦（ＡＦ）、自動露光（ＡＥ）など）の設定にも使用される。従って、動画用ＣＣＤ１４Ｍは、いわば撮影条件の設定用ＣＣＤでもある。
【００２５】
システムコントローラ３は、制御用ＣＰＵ（マイクロプロセッサ）及びその制御プログラムを格納したメモリから構成されており、撮影系１、画像処理系２、記録系５、及び表示系６の各要素を制御する。また、システムコントローラ３は、入力操作系４の各種の操作キー４１及び同実施形態に関係する電子ズームボタン４０の操作入力を受け付ける。電子ズームボタン４０は、電子ズームモードの設定用ボタンである。また、操作キー４１には、電子ズーム機能に関係するズーム操作入力キー（具体的には十字キー及び操作決定入力キーからなる）、及び静止画や動画の再生を指示する再生指示キーが含まれる。なお、入力操作系４には、シャッタ・レリーズボタン（静止画撮影ボタン）及び動画撮影ボタンなどが含まれる（図示せず）。
【００２６】
システムコントローラ３は、電子ズーム制御部３０及び再生制御部３１を有し、同実施形態に関係する電子ズーム機能及び静止画や動画の記録画像の再生動作を制御する。電子ズーム制御部３０は、電子ズームボタン４０の操作入力に応じて、電子ズームモード設定を受け付けて、ＥＶＦ表示における電子ズーム処理を制御する。具体的には、電子ズーム制御部３０は、複数の電子ズーム制御信号ＺＣ１〜ＺＣ５を出力して、撮像回路１５Ｓ、動画処理部２１、静止画処理部２０、電子ズーム処理部６３、及び画像切替部６４の動作を制御する。また、再生制御部３１は、再生制御信号ＲＣ１，ＲＣ２を出力して、画像切替部６４及びディスクドライブ５１の動作を制御する。
【００２７】
なお、システムコントローラ３は、各種の制御信号ＳＣ１〜ＳＣ５を出力して、通常の電子カメラの動作に必要な撮影系１のＡ／Ｆ機構１７、絞り部１１、シャッタ１３、表示系６の表示制御部６１、及び圧縮／伸長処理部２４，２５の動作を制御する。
【００２８】
（電子ズーム動作）
以下図１と共に、図２のフローチャート及び図３の概念図を参照して、同実施形態に関係する電子ズーム動作を説明する。
【００２９】
まず、電子カメラの電源が投入された後において、通常のＥＶＦ表示では、動画処理系による表示処理が実行される（ステップＳ１）。即ち、動画用ＣＣＤ１４Ｍから出力された撮像信号が、Ａ／Ｄコンバータ１６Ｍにより撮影画像データ（ディジタル動画像データ）に変換される（図３（Ａ）に示す画像３００）。動画処理部２１は、例えば６４０×４８０画素の画像データ（図３（Ａ）に示す画像３０１）に変換する。画像切替部６４は、通常時には動画処理部２１からの画像データ（３０１）をスルー画像として、表示系６に転送する。表示系６は、図３（Ａ）に示すように、液晶パネル６０上に、６４０×４８０画素をさらに液晶パネルの構成画素、例えば４８０×３２０画素に変換した撮影画像３０２をＥＶＦ表示する。
【００３０】
以上のように通常時には、低画素数（数十万画素）の動画用ＣＣＤ１４Ｍからの撮像信号によるＥＶＦ表示処理が実行される。この場合、ＥＶＦ表示の撮影画像の画素数が相対的に少ないため、高速の表示処理が可能となる。このとき、高画素数の静止画用ＣＣＤ１４Ｓは、撮像回路１５Ｓにより電力供給がオフされている。従って、電子カメラの消費電力は低減化されている。
【００３１】
これに対して、ユーザにより電子ズームボタン４０が操作されると、電子ズームモードが設定されて、システムコントローラ３は電子ズームモードに移行する（ステップＳ２のＹＥＳ）。即ち、電子ズーム制御部３０は制御信号ＺＣ１を出力して、撮像回路１５Ｓにより静止画用ＣＣＤ１４Ｓに対する電力供給をオンして、静止画処理系を機能させる（ステップＳ３）。また、電子ズーム制御部３０は制御信号ＺＣ４を出力して、電子ズーム処理部６３を機能させる。このとき、システムコントローラ３は制御信号ＳＣ３により、シャッタ１３を開状態に制御する。さらに、電子ズーム制御部３０は制御信号ＺＣ５を出力して、画像切替部６４が電子ズーム処理部６３の出力を表示系６に転送するように制御する（ステップＳ４）。
【００３２】
静止画用ＣＣＤ１４Ｓから出力された撮像信号が、Ａ／Ｄコンバータ１６Ｓにより撮影画像データに変換される（図３（Ｂ）に示す画像３１０）。電子ズーム処理部６３は、静止画処理部２０からの画像データＺＩを、例えば１６００×１２００画素である高画素の画像データ（画像３１１）に変換し、後述する電子ズーム処理を実行する（ステップＳ７）。
【００３３】
ここで、電子ズーム処理部６３は、操作キー４１によるズーム操作入力に応じて、撮影画像の一部を拡大（または全体の縮小）するズーム画像データを生成する。ズーム操作入力が無い場合（非ズーム処理）には、電子ズーム処理部６３は、高画素の画像データ（３１１）を例えば４８０×３２０画素の表示画像データ（図３（Ｂ）に示す画像３１２）に変換する。画像切替部６４は、当該画像データ（３１２）をスルー画像として、表示系６に転送する。表示系６は、図３（Ｂ）に示すように、液晶パネル６０上に、４８０×３２０画素の撮影画像３１３をＥＶＦ表示する（ステップＳ５）。
【００３４】
一方、ズーム操作入力に応じて、電子ズーム処理部６３は、１６００×１２００画素の高画素の画像データ（３１１）から指定された部分領域（図３（Ｂ）に示す領域３１４）を切り取り、例えば１０２４×７６８画素のズーム画像データ（図３（Ｃ）に示す画像３２０）を生成する（ステップＳ６，Ｓ７）。更に、電子ズーム処理部６３は、部分拡大画像データ（３２０）を例えば４８０×３２０画素の表示画像データ（図３（Ｃ）に示す画像３２１）に変換する。画像切替部６４は、当該画像データ（３２１）をスルー画像として、表示系６に転送する。表示系６は、図３（Ｃ）に示すように、液晶パネル６０上に、４８０×３２０画素の撮影画像３２２をＥＶＦ表示する（ステップＳ８）。
【００３５】
電子ズーム制御部３０は、電子ズーム処理が終了すると、撮像回路１５Ｓを介して静止画用ＣＣＤ１４Ｓに対する電力供給をオフする（ステップＳ９のＹＥＳ，Ｓ１０）。更に、電子ズーム制御部３０は制御信号ＺＣ２により動画処理部２１を機能させて、かつ制御信号ＺＣ５により画像切替部６４が動画処理部２１の出力を表示系６に転送するように制御する（ステップＳ１１）。
【００３６】
このような電子ズーム機能により、ユーザは、液晶パネル６０上で、部分拡大した撮影画像を確認することができる。この場合、相対的に高画素数（数百万画素）の静止画用ＣＣＤ１４Ｓからの撮像信号によるＥＶＦ表示処理が実行される。従って、高画質の部分拡大画像を表示することが可能となる。
【００３７】
なお、電子ズーム処理では、操作キー４１のズーム操作量に応じて、ＥＶＦ表示画像が連続的に拡大（または縮小）変化する。このズーム処理によりズームアップされた状態で、シャッタ・レリーズボタンが操作されると、そのときの構図で静止画像データがディスク記録媒体５０に記録される。但し、このときの記録画像の画質は、拡大表示部分に相当するＣＣＤ画素数により実現可能である。また、システムコントローラ３の制御により、ユーザが指定する画質（標準ＳＱ、高画質ＨＱ、超高画質ＳＨＱなど）にもっとも近いものが選択される。
【００３８】
（変形例１）
図４は、同実施形態の電子ズーム処理に関する変形例である。図４（Ａ）は、図３（Ａ）と同様に、動画処理系による通常のＥＶＦ表示処理のプロセスを示す。同実施形態では、図３（Ｂ），（Ｃ）に示すように、電子ズーム処理部６３は、静止画ＣＣＤ１４Ｓにより得られた画像データ３１０（ＺＩ）を、一旦高画素（１６００×１２００画素）の画像データ（画像３１１）に変換し、これからズーム画像データ（３２０）を生成する。
【００３９】
これに対して、本変形例は、図４（Ｂ），（Ｃ）に示すように、電子ズーム処理部６３は、静止画ＣＣＤ１４Ｓにより得られた画像データ３１０（ＺＩ）から、ズーム部分領域（３１４）に対応するズーム画像データ（例えば７９万画素分の切り取り画像４００）を生成する。そして、電子ズーム処理部６３は、当該ズーム画像データ（４００）を、表示画像データ３２１（例えば４８０×３２０画素）に変換する。表示系６は、液晶パネル６０上に、４８０×３２０画素の表示撮影画像３２２をＥＶＦ表示する。一方、非ズーム処理では、電子ズーム処理部６３は、ズーム画像データ（４００）を生成しないで、表示画像データ３１２（例えば４８０×３２０画素）を生成して、画像切替部６４を介して表示系６に転送する。なお、静止画ＣＣＤ１４Ｓにより得られた画像データ３１０（ＺＩ）は、１画素１色のデータであり、各画素がＲＧＢのいずれかであり、いわゆる表示画像データには対応していない。
【００４０】
（変形例２）
同実施形態の動画処理部２１は、動画用ＣＣＤ１４Ｍの出力を使用して、４８０×３２０画素の表示画像に変換する処理を、常時実行している。従って、電子ズーム処理部６３は、ズーム画像データ（３２０または４００）を生成した後に、表示画像への変換処理を実行せずに、当該ズーム画像データを動画処理部２１に転送する構成でもよい。この場合、動画処理部２１が画像切替部６４を介してＥＶＦ表示を実行させることになり、電子ズーム処理部６３から画像切替部６４への画像データの転送処理は不要となる。
【００４１】
この変形例において、動画撮影動作時に、電子ズームモードの設定時のみ、電子ズーム処理部６３から動画処理部２１に転送されたズーム画像データを使用して、動画撮影画像の記録処理を実行してもよい。この期間、フレームレートは低下するが、電子ズームモードによる画質劣化を防止できる効果がある。
【００４２】
（変形例３）
図５は、同実施形態の変形例に関係する電子カメラの構成図である。本変形例は、電子ズーム処理部６３が、静止画処理部２０に含まれる構成である。従って、電子ズームモード時に、静止画処理部２０は、画像切替部６４に転送する画像データＺＩには、電子ズーム処理部６３により生成されるズーム画像データ（３２０または４００）を含むことになる。他の構成については、同実施形態の電子カメラと同様である。なお、本変形例に対して、前述の変形例１，２の内容も適用することができる。
【００４３】
【発明の効果】
以上詳述したように本発明によれば、電子ズーム機能を有し、かつ高画素数の撮像素子を有する電子カメラ装置において、通常のＥＶＦ表示では高速の表示処理を実行し、電子ズームモードでは高画質のズームＥＶＦ表示を実現することができる。
【図面の簡単な説明】
【図１】本発明の実施形態に関係する電子カメラの要部を示すブロック図。
【図２】同実施形態に関係する電子ズーム動作を説明するためのフローチャート。
【図３】同実施形態に関係する電子ズーム動作を説明するための概念図。
【図４】同実施形態の変形例に関係する電子ズーム動作を説明するための概念図。
【図５】同実施形態の変形例に関係する電子カメラの要部を示すブロック図。
【符号の説明】
１…撮影系
２…画像処理系
３…システムコントローラ
４…入力操作系
５…記録系
６…表示系
１０…レンズ
１１…絞り部
１２…分光部（ビームスプリッタ）
１３…シャッタ
１４Ｓ…静止画用撮像素子（静止画用ＣＣＤ）
１４Ｍ…動画用撮像素子（動画用ＣＣＤ）
１５Ｓ，１５Ｍ…撮像回路
１６Ｓ，１６Ｍ…Ａ／Ｄコンバータ
１７…オートフォーカス（Ａ／Ｆ）機構
２０…静止画処理部
２１…動画処理部
２２，２３…バッファメモリ
２４，２５…圧縮／伸長処理部
３０…電子ズーム制御部
３１…再生制御部
４０…電子ズームボタン
４１…操作キー
５０…ディスク記録媒体
５１…ディスクドライブ
６０…液晶パネル
６１…表示制御部
６２…ビデオＲＡＭ（ＶＲＡＭ）
６３…電子ズーム処理部
６４…画像切替部
【図１】
0004253407.tif 000002
【図２】
0004253407.tif 000003
【図３】
0004253407.tif 000004
【図４】
0004253407.tif 000005
【図５】
0004253407.tif 000006